(57)【要約】【課題】どのようなバッグにも取り付け可能で、しかも、ひったくり犯から倒されたり、引きずられたりすることによる怪我を、未然に防止することが可能な、バッグや手荷物のひったくり防止器具を提供する。【解決手段】  バッグの胴やマチの部分の外側と内側のそれぞれに、磁力で接合された永久磁石を配し、表面側の永久磁石には、第一のストラップを介して、バッグの携行者の衣服などに係合するための手段を配し、内側の永久磁石には、第二のストラップに接続された板状の絶縁体を配し、絶縁体には第三のストラップを介して付勢手段が配した構成とする。バグがひったくられると、永久磁石が分離することで、絶縁体が移動し、絶縁体の両面に配された電極が接触することにより、発音装置が作動することを特徴とするひったくり防止装置である。【選択図】図１
2019034100.tif 000002
【特許請求の範囲】
【発明の詳細な説明】
【技術分野】
【０００１】  本発明は、ハンドバッグなどの手荷物のひったくり防止器具に関するものである。
【背景技術】
【０００２】  自転車やバイクに乗って、歩行者、とくに女性の歩行者の後ろから近づき、ハンドバッグのような手荷物を強奪する、「ひったくり」が後を絶たない。これを防止するための、従来の対策として挙げられるのは、ひったくり自体を不可能にしたバッグ、ひったくられた場合に貴重品のみ手元に残せるバッグなどが主流である。【０００３】  前者の例として、特許文献１には、たすき掛け状に繋いだ吊り紐などを用いた、ひったくりが極めて困難なバッグが開示されている。しかし、ここに開示されているバッグは、機能のみを求めているため、女性用のハンドバッグとして重要なデザインが無視されている。また、バッグが身体から離れ難いという機能が逆に作用して、バイクなどを使ったひったくり犯に引っ張られて転倒し、怪我に至る虞がある。【０００４】  また、後者の例として、特許文献２には、内部にポケット状の収納部を設け、バッグをひったくられても、財布や貴重品が手元に残るバッグが開示されている。しかし、この場合は、バッグ自体の構造が複雑となり、デザインの自由度が減縮される可能性があり、特許文献１、特許文献２のいずれにしても、ＴＰＯに合わせて携行するバッグを変えることができないという課題がある。
【先行技術文献】
【特許文献】
【０００５】
【特許文献１】特許第４２１４３１５号公報
【特許文献２】特開２０１０−０１２１９１号公報
【発明の概要】
【発明が解決しようとする課題】
【０００６】  従って本発明の課題は、どのようなバッグにも取り付け可能で、しかも、ひったくり犯から倒されたり、引きずられたりすることによる怪我を、未然に防止することが可能な、バッグや手荷物のひったくり防止器具を提供することにある。
【課題を解決するための手段】
【０００７】  本発明は前記の課題に鑑み、従来使用されていた、音を発するアラームやチェーンを用いたひったくり防止器具の再構成を検討した結果、なされたものである。【０００８】  即ち本発明は、バッグの胴またはマチの部分を隔てて対向する位置に、磁力により接合された状態で、外側に配された第一の永久磁石及び内側に配された第二の永久磁石と、一方の端が前記外第一の永久磁石に接合され、他方の端に、前記バッグ以外の物品に係止するための係止手段を備えた第一のストラップと、一方の端が前記第二の永久磁石に接合され、他方の端に薄板形状の絶縁体の一方の辺に接合された第二のストラップと、一方の端が前記絶縁体の一方の辺に対向する側の辺に接合され、他方の端に、前記絶縁体を下方向に引く付勢手段を備えた第三のストラップと、前記絶縁体を隔てて対向する位置に配された一対の電極と、前記一対の電極の間に配された電源と、前記電源により駆動される発音装置を有することを特徴とする、ひったくり防止装置である。【０００９】  また、本発明は、前記第一の永久磁石と前記第二の永久磁石引き離した際に、前記第三のストラップに接合された付勢手段による、前記絶縁体の移動により、前記一対の電極が電気的に接続され、前記発音装置が作動することを特徴とする、前記のひったくり防止装置である。
【発明の効果】
【００１０】  本発明のひったくり防止装置は、前記のように、バッグの内外に配され、磁力で接合された永久磁石が引き離されると、バッグ内部のブザーなどの発音体の作動し、大きな音を出すことが可能なので、自転車やバイクに乗ったひったくり犯、もしくは徒歩のひったくり犯にバッグを奪われた際に、大きな音によって、ひったくり犯を威嚇し、ひったくり犯にバッグを放棄するように促して、被害を最小限に抑制することができる。また、バッグの外側の永久磁石に接合された第一のストラップを有する外見によって、ひったくり犯の犯意を抑止することができる。【００１１】  また、本発明のひったくり防止装置においては、バッグを一定以上の力で引っ張ると、バッグと第一のストラップが分離するので、ひったくり犯に引っ張られることで、被害者が転倒したり引きずられたりすることがなく、傷害被害も抑制できる。【００１２】  さらに、第一のストラップを、貴金属にチェーンなどで構成すると、ひったくり犯にバッグを持ち去られても、手元に残ったチェーンを換金して、警察や自宅への連絡費用や、帰宅に要する費用が確保できる。しかも、前記のようにバッグへの取り付けは、一対の永久磁石によるので、取り付けるバッグの形状に限定されないという特長がある。
【図面の簡単な説明】
【００１３】
【図１】  本発明に係るひったくり防止器具の一例をバッグに取り付けた状態を示す図。
【図２】  本発明のひったくり防止装置を適用可能なバッグの一例を示す斜視図。
【発明を実施するための形態】
【００１４】  次に具体的な図を参照しながら、本発明の実施の形態について説明する。
【００１５】  図１は、本発明に係るひったくり防止装置の一例をバッグに取り付けた状態を示す図である。図１において、１はバッグ本体、２ａはバッグの外側に配された第一の永久磁石、２ｂはバッグの内側に配された第二の永久磁石、３ａは第一の永久磁石の取り付けられた第一のストラップ、３ｂは、第二の永久磁石と絶縁体を接続する第二のストラップ、３ｃは絶縁体と付勢手段を接続する第三のストラップ、４は絶縁体、５ａ、５ｂは電極、６は電源、７は発音装置、８は第三のストラップを引っ張るための付勢手段、９は第一のストラップを携行者の衣服や身体の一部に係合するための係合手段である。
【００１６】  図２は、一般的なバッグの部位を示した図で、１０は胴と称される部分で、１１はマチと称される部分である。本発明に係るひったくり防止装置は、通常は、胴またはマチの部分の表側と裏側に対向して配された、一対の永久磁石によって取り付けられる。
【００１７】  図１に示したように、バッグの表側には、第一の永久磁石２ａが配され、永久磁石２ａには、端部に係合手段９が取り付けられた、第一のストラップ３ａが取り付けられている。接合手段９は、携行者の衣服などに取り付けることが可能なクリップ状のものでもよいし、環状にして手首に巻き付けられるようにしたものでもよい。また、材質については、一定以上の強度があれば、特に限定されないが、金、銀、白金などの貴金属のチェーンで構成することにより、前記の副次的な効果が得られる。
【００１８】  バッグの内側には、第一の永久磁石２ａと磁力によって接合された、第二の永久磁石２ｂが配され、第二の永久磁石２ｂには、他方の端が板状の絶縁体４が接合された第二のストラップ３ｂが接合され、絶縁体４の両面には、絶縁体４を挟む状態で、一対の電極が配されている。そして絶縁体４の第二のストラップ３ｂが接合された辺の対向する側には、第三のストラップ３ｃが接合されている。
【００１９】  第三のストラップ３ｃの他方の先端には、第三のストラップ３ｃを下方に向けて付勢する手段が取り付けられている。ここに示した例では、付勢手段８の例として、おもりを用いている。ここで用いる付勢手段８としては、例えば第三のストラップ３ｃを下方に向けて付勢するように配したバネでもよい。
【００２０】  そして、絶縁体４の両面には、ばねなどで、絶縁体４に向けて付勢された電極５ａ、５ｂが配されている。このため、バッグ本体１がひったくられると、第一の永久磁石２ａと第二の永久磁石２ｂが引き離され、付勢手段８によって絶縁体４が、第三のストラップ３ｃを介して下方に引っ張られ、電極５ａ、５ｂが接触する。それに対応して、電源６から発音装置７に、電気が供給され、発音体から音が発せられる。この例では、発音装置としてブザーを用いている。
【００２１】  このような構成により、本発明に係るひったくり防止装置を取り付けたバッグなどをひったくられても、携行者が転倒したり、引きづられたりしないので、被害を最小限に止め、発音装置から大音量の音が発せられるので、ひったくり犯が持ち去って逃走するのを、防ぐことが可能となる。
【００２２】  以上に説明したように本発明によれば、簡単な構造で被害者に危害が及び難い、ひったくり防止装置が提供でき、防犯向上に極めて有用である。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２３】１  ・・・  バッグ本体      ２ａ  ・・・  第一の永久磁石
２ｂ  ・・・  の永久磁石      ３ａ  ・・・  第一のストラップ
３ｂ  ・・・  第二のストラップ      ３ｃ  ・・・  第三のストラップ
４  ・・・  絶縁体      ５ａ，５ｂ  ・・・  電極      ６  ・・・  電源
７  ・・・  発音装置      ８  ・・・  付勢手段      ９  ・・・  係合手段である。１０  ・・・  胴      １１  ・・・  マチ
【図１】
2019034100.tif 000003
【図２】
2019034100.tif 000004
【手続補正書】
【提出日】平成29年10月22日(2017.10.22)
【手続補正２】
【補正対象書類名】特許請求の範囲
【補正対象項目名】全文
【補正方法】変更
【補正の内容】
【特許請求の範囲】
【請求項１】
バッグの胴またはマチの部分を隔てて対向する位置に、磁力により接合された状態で、外側に配された第一の永久磁石及び内側に配された第二の永久磁石と、
一方の端が前記外第一の永久磁石に接合され、他方の端に、前記バッグ以外の物品に係止するための係止手段を備えた第一のストラップと、
一方の端が前記第二の永久磁石に接合され、他方の端に薄板形状の絶縁体の一方の辺に接合された第二のストラップと、
一方の端が前記絶縁体の一方の辺に対向する側の辺に接合され、他方の端に、前記絶縁体を下方向に引く付勢手段を備えた第三のストラップと、
前記絶縁体を隔てて対向する位置に配された一対の電極と、
前記一対の電極の間に配された電源と、
前記電源により駆動される発音装置を有することを特徴とする、ひったくり防止装置。
【請求項２】
前記第一の永久磁石と前記第二の永久磁石引き離した際に、前記第三のストラップに接合された付勢手段による、前記絶縁体の移動により、前記一対の電極が電気的に接続され、前記発音装置が作動することを特徴とする、請求項１に記載のひったくり防止装置。